(57)【要約】【課題】小型の減光部材３０、及びその減光部材３０を備えるヘッドマウントディスプレイ１００を提供する。【解決手段】ＨＭＤ１００は、装置本体１０と、使用者の頭部に装着されると共に、装置本体１０を支持する装着部２０と、画像を表示する表示部１１と、表示部１１からの画像光を使用者の右眼に導く第１のレンズ１２ａと、表示部１１からの画像光を使用者の左眼に導く第２のレンズ１２ｂと、第１のレンズ１２ａの縁を囲むように装置本体１０に設けられる環状の第１の基端部３２ａと、第１の基端部３２ａから装置本体１０の後方に延伸する筒状の第１の壁部３１ａと、を含む第１の減光部材３０ａと、第２のレンズ１２ｂの縁を囲むように装置本体１０に設けられる環状の第２の基端部３２ｂと、第２の基端部３２ｂから装置本体１０の後方に延伸する筒状の第２の壁部３１ｂと、を含む第２の減光部材３０ｂと、を有する。【選択図】図２
2020052242.tif 000002
【特許請求の範囲】
【請求項１】
装置本体と、
使用者の頭部に装着されると共に、前記装置本体を支持する装着部と、
前記装置本体に収容されており、画像を表示する表示部と、
前記装置本体に収容されており、前記表示部からの画像光を使用者の右眼に導く第１のレンズと、
前記装置本体に収容されており、前記表示部からの画像光を使用者の左眼に導く第２のレンズと、
前記第１のレンズの縁を囲むように前記装置本体に設けられる環状の第１の基端部と、該第１の基端部から前記装置本体の後方に延伸する筒状の第１の壁部と、を含む第１の減光部材と、
前記第２のレンズの縁を囲むように前記装置本体に設けられる環状の第２の基端部と、該第２の基端部から前記装置本体の後方に延伸する筒状の第２の壁部と、を含む第２の減光部材と、
を有することを特徴とするヘッドマウントディスプレイ。
【請求項２】
前記第１の壁部は、前記第１の減光部材のうち左側に位置する第１の内壁と、前記減光部材のうち右側に位置する第１の外壁とを含み、
前記第２の壁部は、前記第２の減光部材のうち右側に位置する第２の内壁と、前記第２の減光部材のうち左側に位置する第２の外壁とを含み、
前記第１のレンズの光軸に沿う方向における、前記第１の外壁の長さは、前記第１の内壁の高さより高く、
前記第２のレンズの光軸に沿う方向における、前記第２の外壁の長さは、前記第２の内壁の高さよりも高い、
ことを特徴とする請求項１に記載のヘッドマウントディスプレイ。
【請求項３】
前記第１の外壁の長さと前記第１の基端部の長さの合計、及び第２の外壁の長さと前記第２の基端部の長さの合計は、２０ｍｍ以上２６ｍｍ以下であり、
前記第１の内壁の高さと前記第１の基端部の高さの合計、及び第２の内壁の長さと前記第２の基端部の長さの合計は、８ｍｍ以上１４ｍｍ以下である、
ことを特徴とする請求項２に記載のヘッドマウントディスプレイ。
【請求項４】
前記第１の外壁は、前記第１の基端部から前記装置本体の後方に延伸するに従い左側に傾斜しており、
前記第２の外壁は、前記第２の基端部から前記装置本体の後方に延伸するに従い右側に傾斜している、
ことを特徴とする請求項２又は３に記載のヘッドマウントディスプレイ。
【請求項５】
前記第１のレンズの光軸に対する前記第１の外壁の傾斜角度は、５°以上１５°以下であり、
前記第２のレンズの光軸に対する前記第２の外壁の傾斜角度は、５°以上１５°以下である、
ことを特徴とする請求項４に記載のヘッドマウントディスプレイ。
【請求項６】
前記第１の内壁の先端部には、左側に屈曲する第１の屈曲部が設けられており、
前記第２の内壁の先端部には、右側に屈曲する第２の屈曲部が設けられている、
ことを特徴とする請求項２〜５のいずれか１項に記載のヘッドマウントディスプレイ。
【請求項７】
前記第１の壁部は、左側から右側へ向かうに従い、前記第１のレンズの光軸に沿う方向における長さが長くなるように傾斜する第１の上壁及び第１の下壁を含み、
前記第２の壁部は、右側から左側へ向かうに従い、前記第２のレンズの光軸に沿う方向における長さが長くなるように傾斜する第２の上壁及び第２の下壁を含む、
ことを特徴とする請求項２〜６のいずれか１項に記載のヘッドマウントディスプレイ。
【請求項８】
前記第１の壁部及び前記第２の壁部は、可撓性を有する材料からなる、
ことを特徴とする請求項１〜７のいずれか１項に記載のヘッドマウントディスプレイ。
【請求項９】
前記第１の基端部及び前記第２の基端部は、前記装置本体に対してそれぞれ取り付け及び取り外し可能に構成される、
ことを特徴とする請求項１〜８のいずれか１項に記載のヘッドマウントディスプレイ。
【請求項１０】
ヘッドマウントディスプレイの装置本体に収容されるレンズの縁を囲む環状であり、前記装置本体に対して取り付け及び取り外し可能に構成される基端部と、
前記基端部から突出する筒状の壁部と、
を有し、
前記壁部は、
右側又は左側のいずれか一方に位置する内壁と、
右側又は左側のいずれか他方に位置する外壁と、
を含み、
前記外壁の高さは、前記内壁の高さよりも高い、
ことを特徴とする減光部材。
【請求項１１】
前記外壁は、前記基端部から突出する方向に向かうに従い前記内壁側に傾斜している、
ことを特徴とする請求項１０に記載の減光部材。
【請求項１２】
前記内壁の先端部には、外側に屈曲する屈曲部が設けられる、
ことを特徴とする請求項１０又は１１に記載の減光部材。
【発明の詳細な説明】
【技術分野】
【０００１】
本発明は、ヘッドマウントディスプレイ、減光部材に関する。
【背景技術】
【０００２】
ヘッドマウントディスプレイにおいては、例えば、特許文献１に開示されるように、使用者の眼に外光が入射することを抑制する減光部材（ライトシールドと称されることもある）を備えるものが知られている。
【先行技術文献】
【特許文献】
【０００３】
【特許文献１】国際公開第２０１６／１３６６５７号
【発明の概要】
【発明が解決しようとする課題】
【０００４】
特許文献１に開示されるヘッドマウントディスプレイにおいては、減光部材は、使用者の両眼及びその周辺を囲む１の部材で構成されている。このようなヘッドマウントディスプレイにおいては、減光部材の小型化という観点から改良の余地がある。
【０００５】
本発明は上記課題に鑑みてなされたものであって、その目的の１つは、小型の減光部材、及びその減光部材を備えるヘッドマウントディスプレイを提供することにある。
【課題を解決するための手段】
【０００６】
本開示で提案するヘッドマウントディスプレイの一例は、装置本体と、使用者の頭部に装着されると共に、前記装置本体を支持する装着部と、前記装置本体に収容されており、画像を表示する表示部と、前記装置本体に収容されており、前記表示部からの画像光を使用者の右眼に導く第１のレンズと、前記装置本体に収容されており、前記表示部からの画像光を使用者の左眼に導く第２のレンズと、前記第１のレンズの縁を囲むように前記装置本体に設けられる環状の第１の基端部と、該第１の基端部から前記装置本体の後方に延伸する筒状の第１の壁部と、を含む第１の減光部材と、前記第２のレンズの縁を囲むように前記装置本体に設けられる環状の第２の基端部と、該第２の基端部から前記装置本体の後方に延伸する筒状の第２の壁部と、を含む第２の減光部材と、を有する。
【０００７】
また、本開示で提案する減光部材の一例は、ヘッドマウントディスプレイの装置本体に収容されるレンズの縁を囲む環状であり、前記装置本体に対して取り付け及び取り外し可能に構成される基端部と、前記基端部から突出する筒状の壁部と、を有し、前記壁部は、右側又は左側のいずれか一方に位置する内壁と、右側又は左側のいずれか他方に位置する外壁と、を含み、前記外壁の高さは、前記内壁の高さよりも高い。
【図面の簡単な説明】
【０００８】
【図１】本実施形態に係るヘッドマウントディスプレイを使用者が装着した状態を示す斜視図である。
【図２】本実施形態に係るヘッドマウントディスプレイを左斜め後方から見た斜視図である。
【図３】本実施形態の減光部材を示す斜視図である。
【図４】本実施形態の減光部材を示す上面図である。
【図５】本実施形態の装着状態における使用者の顔面と減光部材との位置関係の一例を示す模式図である。
【発明を実施するための形態】
【０００９】
以下、図面に基づいて、本発明の一実施形態（以下、本実施形態という）を説明する。
【００１０】
［ヘッドマウントディスプレイの全体構成］
図１は、本実施形態に係るヘッドマウントディスプレイを使用者が装着した状態を示す斜視図である。図２は、本実施形態に係るヘッドマウントディスプレイを左斜め後方から見た斜視図である。
【００１１】
ヘッドマウントディスプレイ（以下、ＨＭＤ（Ｈｅａｄ  Ｍｏｕｎｔｅｄ  Ｄｉｓｐｌａｙ）とも称する）１００は、使用者の頭部に装着された状態で、表示部１１に表示される画像を使用者に視認させるものである。なお、以下の説明において、ＨＭＤ１００が使用者の頭部に装着された状態を「装着状態」と称する。
【００１２】
以下の説明における、前後、左右、上下は、装着状態において使用者から見た方向を示すものである。また、各図において、Ｘ１が示す方向は右方向であり、Ｘ２が示す方向は左方向である。また、各図において、Ｙ１が示す方向は前方向であり、Ｙ２が示す方向は後方向である。また、各図において、Ｚ１が示す方向は上方向であり、Ｚ２が示す方向は下方向である。
【００１３】
ＨＭＤ１００は、装置本体１０と、装着部２０を有する。
【００１４】
装置本体１０は、画像を表示する表示部１１と、表示部１１からの画像光を使用者の右眼に導く第１のレンズ１２ａと、表示部１１からの画像光を使用者の左眼に導く第２のレンズ１２ｂと、を内蔵する筐体を含むものである。
【００１５】
なお、本実施形態においては、装置本体１０が、表示部１１を内蔵する例について説明するが、これに限られるものではない。例えば、携帯端末を装置本体１０に収容し、収容した携帯端末のディスプレイを表示部１１として機能させる構成としてもよい。この場合、携帯端末としては、例えば、スマートフォンを用いるとよい。
【００１６】
装着部２０は、使用者の頭部に装着されると共に、装置本体１０を支持する。装着部２０は、装置本体１０の上部に接続されて装置本体１０を支持する支持部２１と、支持部２１から後方に延びる環状のバンド部２２とを有する。使用者は、頭部が囲まれるようにバンド部２２を配置することにより、ＨＭＤ１００を装着する。
【００１７】
支持部２１は、装置本体１０を前後方向にスライド移動可能に支持する構成であってもよい。そのような構成とすることで、使用者の顔面に対する後述の第１の減光部材３０ａ及び第２の減光部材３０ｂの距離を調整することが可能となる。
【００１８】
バンド部２２の前方内側の面は、使用者の額に沿って接触するような湾曲した形状であるとよい。なお、バンド部２２は、使用者の頭部のサイズに合わせて、長さを調整可能な構造であってもよい。
【００１９】
なお、装着部２０は、使用者の頭部に装着されると共に、装置本体１０を支持するものであればよく、図２等に示す構成に限られるものではない。
【００２０】
表示部１１は、例えば、液晶表示装置や有機エレクトロルミネセンス表示装置等のディスプレイであるとよいが、その種類は特に限定されない。
【００２１】
また、装置本体１０は、第１のレンズ１２ａを保持する第１のレンズ保持部１５ａと、第２のレンズ１２ｂを保持する第２のレンズ保持部１５ｂを含むとよい。第１のレンズ保持部１５ａは、開口を有しており、その開口から第１のレンズ１２ａの面を露出させるように、第１のレンズ１２ａを保持するものであるとよい。同様に、第２のレンズ保持部１５ｂは、開口を有しており、その開口から第２のレンズ１２ｂの面を露出させるように、第２のレンズ１２ｂを保持するものであるとよい。
【００２２】
なお、図１、図２に示す装置本体１０は一例であり、これに限られるものではなく、よりデザイン性に優れた外観を有するものであると好ましい。
【００２３】
［減光部材］
主に、図２〜図４を参照して、本実施形態の減光部材について説明する。図３は、本実施形態の減光部材を示す斜視図である。図４は、本実施形態の減光部材を示す上面図である。なお、図３、図４においては、第１の減光部材３０ａのみを図示し、第２の減光部材３０ｂの図示については省略するが、第２の減光部材３０ｂは、第１の減光部材３０ａと対称の外観を有するものである。
【００２４】
ＨＭＤ１００は、上述した構成に加えて、第１の減光部材３０ａと、第２の減光部材３０ｂとを有する。第１の減光部材３０ａは、装着状態において、使用者の右眼に入射される外光を遮光又は減光するために設けられる部材であり、第２の減光部材３０ｂは、装着状態において、使用者の左眼に入射される外光を遮光又は減光するために設けられる部材である。
【００２５】
本実施形態においては、第１の減光部材３０ａと第２の減光部材３０ｂをそれぞれ別部材として設ける構成を採用するため、従来から採用されていた両目及びその周辺を囲むように構成される減光部材と比較して、減光部材を小型にできる。また、減光部材が小型であることより、装置本体１０への取り付け及び取り外し等の取り扱いが容易である。
【００２６】
［第１の減光部材］
第１の減光部材３０ａは、第１のレンズ１２ａの縁を囲むように装置本体１０に設けられる環状の第１の基端部３２ａと、第１の基端部３２ａから装置本体１０の後方に延伸する筒状の第１の壁部３１ａと、を含む。
【００２７】
第１の基端部３２ａは剛性の高い樹脂等からなるとよい。第１の壁部３１ａは、可撓性を有する部材からなるとよい。例えば、第１の壁部３１ａは、エラストマー樹脂等からなるとよい。第１の壁部３１ａは、例えば、二色成形等の成形方法を用いて、第１の基端部３２ａに対して一体成形されるとよい。これにより、第１の基端部３２ａと第１の壁部３１ａとの間に隙間が生じることにより外光がＨＭＤ１００内に入ってしまうことが抑制される。
【００２８】
第１の壁部３１ａは、第１の減光部材３０ａのうち左側に位置する第１の内壁３１１ａと、第１の減光部材３０ａのうち右側に位置する第２の外壁３１２ａと、を含む。
【００２９】
さらに、第１の壁部３１ａは、第１の減光部材３０ａのうち上側に位置する第１の上壁３１４ａと、第１の減光部材３０ａのうち下側に位置する第１の下壁３１５ａとを含む。
【００３０】
第１の壁部３１ａは、第１の内壁３１１ａ、第１の上壁３１４ａ、第１の外壁３１２ａ、及び第１の下壁３１５ａにより筒状を構成している。
【００３１】
本実施形態においては、図４に示すように、第１のレンズ１２ａの光軸Ｌに沿う方向における、第１の外壁３１２ａの長さｈ１は、第１の内壁３１１ａの長さｈ２よりも長い。なお、長さｈ１は、第１の外壁３１２ａのうち最も長い部分の長さであり、長さｈ２は、第２の外壁３１１ａのうち最も長い部分の長さであるとする。具体的には、本実施形態においては、第１の外壁３１２ａの長さｈ１と第１の基端部３２ａの長さｈ３の合計の長さＨ１を２３ｍｍとし、第１の内壁３１１ａの長さｈ２と第１の基端部３２ａの長さｈ３の合計の長さＨ２を１１ｍｍとした。ただし、これに限られるものではなく、長さＨ１は、２０ｍｍ以上２６ｍｍ以下であり、長さＨ２は、８ｍｍ以上１４ｍｍ以下であるとよい。
【００３２】
また、図４に示すように、本実施形態においては、第１の外壁３１２ａは、第１の基端部３２ａから後方に向かうに従い、左側に傾斜している。本実施形態においては、第１の外壁３１２ａの傾斜角度θを１０°とした。ここで、傾斜角度θは、第１のレンズ１２ａの光軸Ｌに対する第１の外壁３１２ａの傾斜角度である。なお、図４においては、光軸Ｌと同じ方向に延びる直線Ｒに対する第１の外壁３１２ａの傾斜角度をθとして表している。なお、傾斜角度θはこれに限られるものではなく、５°以上１５°以下であるとよい。
【００３３】
また、図４に示すように、本実施形態においては、第１の上壁３１４ａは、左側から右側へ向かうに従い、第１のレンズ１２ａの光軸Ｌに沿う方向における長さ（壁の高さ）が長くなるように傾斜している。同様に、第１の下壁３１５ａは、左側から右側へ向かうに従い、第１のレンズ１２ａの光軸に沿う方向における長さ（壁の高さ）が長くなるように傾斜している。このように、第１の上壁３１４ａ及び第１の下壁３１５ａを、使用者の顔面に沿うように傾斜する形状とすることにより、上側及び下側からの外光が使用者の眼に入射されることをより抑制することができる。
【００３４】
また、第１の内壁３１１ａの先端部には、左側に屈曲する第１の屈曲部３１７ａが設けられている。このように第１の屈曲部３１７ａを有することにより、装着状態において、第１の減光部材３０ａが使用者の顔面に接触する際に、第１の屈曲部３１７ａの屈曲部分が使用者の顔面に接触することとなる。これにより、先端部の端面が使用者の顔面に接触する場合と比較して、使用者が覚える違和感を小さくすることができる。なお、本実施形態においては、第１の壁部３１ａのうち内壁部３１１ａ以外の部分には、屈曲部を設けないこととした。第１の内壁部３１１ａ以外の部分においては、図５を参照して後述するように、使用者の顔面との間に隙間を有することとするため、顔面への接触により使用者が覚える違和感を考慮する必要がないためである。
【００３５】
また、第１の基端部３２ａは、装置本体１０に対して取り付け及び取り外し可能に構成される。図１、図２においては、第１の基端部３２ａが装置本体１０に対して取り付けられて、固定された状態を示している。図４等に示すように、第１の基端部３２ａは、前方に延伸する係合爪３２１ａを有するとよい。また、装置本体１０は、係合爪３２１ａが嵌入される係合孔（不図示）を、第１のレンズ１２ａの周辺に有するとよい。そして、係合爪３２１ａが、装置本体１０の係合孔に嵌入されることにより、第１の減光部材３０ａが装置本体１０に取り付けられて、装置本体１０に対して固定されるとよい。このような構成により、第１の減光部材３０ａを装置本体１０に対して簡易な構造で取り付け及び取り外しすることが可能となる。
【００３６】
上記本実施形態においては、第１の減光部材３０ａが、第１の基端部３２ａと、第１の基端部３２ａと異なる材料からなる第１の壁部３１ａとを含む例について説明したが、これに限られるものではなく、第１の基端部３２ａと第１の壁部３１ａが同じ材料からなる１の部材であってもよい。第２の減光部材３０ｂについても同様である。
【００３７】
［第２の減光部材］
第２の減光部材３０ｂは、第２のレンズ１２ｂの縁を囲むように装置本体１０に設けられる環状の第２の基端部３２ｂと、第２の基端部３２ｂから装置本体１０の後方に延伸する筒状の第２の壁部３１ｂと、を含む。
【００３８】
第２の基端部３２ｂは剛性の高い樹脂等からなるとよい。第２の壁部３１ｂは、可撓性を有する部材からなるとよい。例えば、第２の壁部３１ｂは、エラストマー樹脂等からなるとよい。第２の壁部３１ｂは、例えば、二色成形等の成形方法を用いて、第２の基端部３２ｂに対して一体成形されるとよい。これにより、第２の基端部３２ｂと第２の壁部３１ｂとの間に隙間が生じることにより外光がＨＭＤ１００内に入ってしまうことが抑制される。
【００３９】
第２の壁部３１ｂは、第２の減光部材３０ｂのうち右側に位置する第２の内壁３１１ｂと、第２の減光部材３０ｂのうち左側に位置する第２の外壁３１２ｂと、を含む。
【００４０】
さらに、第２の壁部３１ｂは、第２の減光部材３０ｂのうち上側に位置する第２の上壁３１４ｂと、第２の減光部材３０ｂのうち下側に位置する第２の下壁３１５ｂとを含む。
【００４１】
第２の壁部３１ｂは、第２の内壁３１１ｂ、第２の上壁３１４ｂ、第２の外壁３１２ｂ、及び第２の下壁３１５ｂにより筒状を構成している。
【００４２】
本実施形態においては、第２のレンズ１２ａの光軸に沿う方向における、第２の外壁３１２ｂの長さは、第２の内壁３１１ｂの長さよりも長い。具体的な寸法については上述の第１の減光部材３０ａと同様である。
【００４３】
また、本実施形態においては、第２の外壁３１２ｂは、第２の基端部３２ｂから後方に向かうに従い、右側に傾斜している。具体的な傾斜角度等については上述の第１の減光部材３０ａと同様である。
【００４４】
また、第２の上壁３１４ｂは、右側から左側へ向かうに従い、第２のレンズ１２ｂの光軸に沿う方向における長さが長くなるように傾斜している。同様に、第２の下壁３１５ｂは、右側から左側へ向かうに従い、第２のレンズ１２ｂの光軸に沿う方向における長さが長くなるように傾斜している。
【００４５】
また、第２の内壁３１１ｂの先端部には、右側に屈曲する第２の屈曲部３１７ｂが設けられている。このように第２の屈曲部３１７ｂを有することにより、装着状態において、第２の減光部材３０ｂが使用者の顔面に接触する際に、第２の屈曲部３１７ｂの屈曲部分が使用者の顔面に接触することとなる。これにより、先端部の端面が使用者の顔面に接触する場合と比較して、使用者が覚える違和感を小さくすることができる。なお、本実施形態においては、上述の第１の壁部３１ａと同様に、第２の壁部３１ｂのうち第２の内壁部３１１ｂ以外の部分には屈曲部を設けないこととした。
【００４６】
また、第２の基端部３２ｂは、装置本体１０に対して取り付け及び取り外し可能に構成される。図１、図２においては、第２の基端部３２ｂが装置本体１０に対して取り付けられて、固定された状態を示している。また、第２の基端部３２ｂは、第１の基端部３２ａと同様に係合爪を有しており、装置本体１０において第２のレンズ１２ｂの周辺に設けられる係合孔に嵌入されることにより、第２の減光部材３０ｂが装置本体１０に取り付けられて、装置本体１０に対して固定されるとよい。このような構成により、第２の減光部材３０ｂを装置本体１０に対して簡易な構造で取り付け及び取り外しすることが可能となる。
【００４７】
［装着状態における使用者の顔面と減光部材の位置関係］
次に、主に、図５を参照して、本実施形態の装着状態における使用者の顔面と減光部材の位置関係について説明する。図５は、本実施形態の装着状態における使用者の顔面と減光部材との位置関係の一例を示す模式図である。
【００４８】
なお、以下の説明においては、第１の減光部材３０ａと第２の減光部材３０ｂとを区別することなく、単に減光部材３０と称することとする。減光部材３０が備える各構成についても同様とする。また、第１のレンズ１２ａと第２のレンズ１２ｂについても区別することなく、単にレンズ１２と称することとする。
【００４９】
減光部材３０は、使用者の眼や、レンズ１２に外光が入射することを抑制するものである。しかしながら、減光部材３０を使用者の肌に密着させて、隙間無く使用者の眼を覆った場合、使用者は密着による違和感を覚えてしまう可能性がある。
【００５０】
そこで、本実施形態においては、装着状態において、減光部材３０と使用者の顔面との間に隙間Ｇが生じ易くなるように、減光部材３０を構成した。
【００５１】
本実施形態においては、外壁３１２と使用者との間に隙間Ｇが形成され、内壁３１１の先端部に設けられる屈曲部３１７が使用者の顔面に接触し易くなるように、減光部材３０を構成した。隙間Ｇが形成されることにより、装着状態において、使用者は違和感を覚えにくくなる。
【００５２】
なお、個人差はあるものの、眼Ｅの外側（目尻側）からの外光は、使用者にとって気になりにくい。そのため、外壁３１２と使用者の顔面との間に隙間Ｇを形成したとしても、表示部１１に表示される映像を快適に鑑賞することができる。一方で、眼Ｅの内側（目頭側）からの外光は、快適な映像の鑑賞を行うのに支障となる可能性が高いため、内壁３１１側においては使用者との間に隙間が形成されないことが好ましい。本実施形態においては、内壁３１１側においては、減光部材３０が使用者の顔面に接触することを前提として、内壁３１１の先端部に屈曲部３１７を設けることとした。
【００５３】
図４を参照して上述したように、本実施形態の減光部材３０においては、使用者が快適な映像鑑賞を行うのに好ましい寸法を採用した。具体的には、レンズ１２の光軸に沿う方向における、内壁３１１側の長さを１１ｍｍとし、外壁３１２側の長さを２４ｍｍとした。この寸法よりも、内壁３１１側の長さが短いと、使用者との顔面との間に隙間が生じやすくなり、内壁３１１側の長さが長いと、使用者の肌に屈曲部３１７が食い込み過ぎてしまう可能性が高くなる。また、上記の寸法よりも、外壁３１２側の長さが短いと、隙間Ｇが大きくなってしまい使用者にとって外光が気になりやすくなり、外壁３１２側の長さが長いと、使用者の顔面に外壁３１２が接触しやすくなり、使用者が違和感を覚えてしまう可能性が高くなる。
【００５４】
出願人の検証によると、長さＨ１は、２０ｍｍ以上２６ｍｍ以下であり、長さＨ２は、８ｍｍ以上１４ｍｍ以下であれば、使用人は快適な映像鑑賞を行うことができる。
【００５５】
また、上述のように、レンズ１２の光軸Ｌに対する外壁３１２の傾斜角度θを１０°とした。傾斜角度θが１０°よりも小さいと、使用者の眼やレンズに外光が入射されるのを抑制するために、レンズ１２の光軸Ｌに沿う方向における、外壁３１２側の長さを長くする必要が生じ、減光部材３０が大型化してしまう。また、傾斜角度θが１０°よりも大きいと、外壁３１２の先端部が使用者の顔面に接触しやすくなってしまう。
【００５６】
出願人の検証によると、傾斜角度θは、５°以上１５°以下であれば、使用者は快適な映像鑑賞を行うことができる。
【００５７】
以上説明した適度な隙間Ｇを形成しやすくする構成を採用した本実施形態の減光部材３０においては、使用者が違和感無く映像を鑑賞できると共に、ＨＭＤ１００内部に熱がこもったり、レンズ１２が曇ったり、使用者の顔面に塗られた化粧が減光部材３０に付着したりすることを抑制することができる。
【００５８】
また、図５に示す例においては、光軸Ｌに対する、眼球のうちレンズ１２に最も近い点と外壁３１２とを結ぶ直線の角度Φは、約１０４°である。人間の視野角は約１００°であることから、図５に示す例においては、外壁３１２側において外壁３１２以外の物が使用者の視野に入ることはない。そのため、使用者は高い没入感を得ることができる。
【符号の説明】
【００５９】
１０  装置本体、１１  表示部、１２ａ  第１のレンズ、１２ｂ  第２のレンズ、２０  装着部、２１  支持部、２２  バンド部、３０ａ  第１の減光部材、３１ａ  第１の基端部、３１１ａ  第１の内壁、３１２ａ  第１の外壁、３１４ａ  第１の上壁、３１５ａ  第１の下壁、３１７ａ  第１の屈曲部、３２ａ  第１の壁部、３２１ａ  係合爪、３０ｂ  第２の減光部材、３１ｂ  第２の基端部、３１１ｂ  第２の内壁、３１２ｂ  第２の外壁、３１４ｂ  第２の上壁、３１５ｂ  第２の下壁、３１７ｂ  第２の屈曲部、３２ｂ  第２の壁部、３２１ｂ  係合爪、１００  ヘッドマウントディスプレイ。
【図１】
2020052242.tif 000003
【図２】
2020052242.tif 000004
【図３】
2020052242.tif 000005
【図４】
2020052242.tif 000006
【図５】
2020052242.tif 000007